Podtech/llm-jp-corpus-v4-ja_patent huggingface dataset:
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
固形物を生体の表面を介して輸送する無針式輸送装置であって、
流体を貯蔵する貯蔵部と、
前記貯蔵部に連結されたノズルと、
固形物が充填され、前記ノズルに連結されたカートリッジと、
前記貯蔵部に連通された、制御可能な電磁式のアクチュエータとを備え、
前記アクチュエータは電気入力を受けて前記電気入力に応じた機械的な力を生成し、前記機械的な力は、前記貯蔵部内に圧力を発生させ、前記圧力の大きさは、前記機械的な力に応じて変化して、前記貯蔵部から前記流体を噴射させて前記固形物を生体内に送り込む、
無針式輸送装置。
【請求項２】
前記カートリッジはオリフィスを有し、前記固形物が前記オリフィスを介して、前記カートリッジから送り込まれる、請求項１に記載の無針式輸送装置。
【請求項３】
前記カートリッジは前記オリフィスを封じる無菌カバーを有し、前記固形物が前記無菌カバーを貫通して送り込まれる、請求項２に記載の無針式輸送装置。
【請求項４】
前記アクチュエータは、前記機械的な力を２つの方向のうちの一方に印加するように構成された、双方向性のアクチュエータである、請求項１に記載の無針式輸送装置。
【請求項５】
前記アクチュエータは、ローレンツ力アクチュエータを備える、請求項４に記載の無針式輸送装置。
【請求項６】
前記固形物は、薬剤の充填されたカプセルを含む、請求項１〜５のいずれか一項に記載の無針式輸送装置。
【請求項７】
前記固形物は、移植物を含む、請求項１〜５のいずれか一項に記載の無針式輸送装置。
【請求項８】
前記固形物は、ＲＦＩＤタグを含む、請求項１〜５のいずれか一項に記載の無針式輸送装置。
【請求項９】
前記固形物は、自己集合型基材を含む、請求項１〜５のいずれか一項に記載の無針式輸送装置。
【請求項１０】
前記固形物は、ワイヤを含む、請求項１〜５のいずれか一項に記載の無針式輸送装置。
【請求項１１】
前記固形物は、センサを含む、請求項１〜５のいずれか一項に記載の無針式輸送装置。
【請求項１２】
前記固形物は、直径１００μｍ超の微粒子を含む、請求項１〜５のいずれか一項に記載の無針式輸送装置。
【手続補正２】
【補正対象書類名】明細書
【補正対象項目名】００７９
【補正方法】変更
【補正の内容】
【００７９】
当業者であれば、例示した無針式経皮輸送装置１００および手持ち式の注射器４００以外にも、様々な無針式注射器を、本発明の実施形態の方法に利用できることを理解するであろう。また、当業者であれば、本明細書で述べたパラメータが例示的なものに過ぎず、本発明にかかる方法および材料の詳細な用途によっては、実際のパラメータが変化し得ることを容易に理解するであろう。また、当業者であれば、前述した実施形態が例示的なものに過ぎず、添付の特許請求の範囲および等価物の範疇であれば、本明細書で具体的に説明した以外の形態であっても、本発明を実施できることを理解するであろう。さらに、構成要素について、材料、形状、サイズ、および構成要素間の相互関係を変更し、それらを多種多様に組み合わせたり置換したりしてもよく、そのような変形例および等価物も、本発明の一部をなすものとする。
なお、本発明は、実施態様として以下の内容を含んでいてもよい。
［実施態様１］
固形物を生体の表面を介して輸送する方法であって、制御可能な電磁式のアクチュエータに対して電気入力を印加する過程と、前記電磁式のアクチュエータにより、前記電気入力に応じた機械的な力を生成する過程と、一端部がノズルと連結した貯蔵部に対して、前記機械的な力を印加する過程であって、当該機械的な力により、前記貯蔵部内に圧力が発生し、当該圧力の大きさは、前記機械的な力に応じて変化するものであり、前記圧力で前記貯蔵部から流体を噴射することによって前記固形物を前記生体内に送り込む過程と、
を含む、輸送方法。
［実施態様２］
実施態様１に記載の輸送方法において、前記機械的な力を印加する過程の前に、前記貯蔵部内の前記流体に前記固形物を配し、前記力の印加で正方向の圧力を生成し、当該圧力によって前記貯蔵部から、前記流体の少なくとも一部および前記固形物を前記ノズルを介して噴射する、輸送方法。
［実施態様３］
実施態様１に記載の輸送方法において、さらに、前記機械的な力を印加する過程の前に、前記ノズルに連結されたカートリッジ内に前記固形物を配する過程、を含む、輸送方法。
［実施態様４］
実施態様３に記載の輸送方法において、前記機械的な力の印加で正方向の圧力を生成し、当該圧力によって前記貯蔵部から、前記流体の少なくとも一部を前記ノズルを介して噴射することにより、前記固形物を前記カートリッジのオリフィスを介して前記生体内に送り込む、輸送方法。
［実施態様５］
実施態様１に記載の輸送方法において、前記アクチュエータが双方向性のアクチュエータであり、前記機械的な力が、２つの方向のうちの一方に印加される、輸送方法。
［実施態様６］
実施態様５に記載の輸送方法において、さらに、第１の方向に機械的な力を印加することにより、前記貯蔵部内に前記固形物を充填する過程と、その後、前記第１の方向と反対の方向である第２の方向に力を印加することにより、前記貯蔵部から前記固形物を押し出す過程と、を含む、輸送方法。
［実施態様７］
物質を対象の身体に供給する方法であって、前記対象の身体の表面の近傍に、無針注射器を位置決めする過程と、前記物質を、前記対象の身体に注入する過程と、前記注入の最中に、前記表面に沿って前記無針注射器を移動させることにより、前記表面を走査する過程と、を含む、供給方法。
［実施態様８］
実施態様７に記載の供給方法において、前記無針注射器を、前記対象の身体に接触させて配置する、供給方法。
［実施態様９］
実施態様７に記載の供給方法において、前記無針注射器を、平面上を移動するように前記表面に沿って移動させる、供給方法。
［実施態様１０］
実施態様７に記載の供給方法において、前記物質を、前記表面の内側における複数の互いに異なる深さに注入する、供給方法。
［実施態様１１］
実施態様１０に記載の供給方法において、注入された前記物質が、前記表面の内側の互いに異なる深さにある複数の層を具備した、多層構造を形成する、供給方法。
［実施態様１２］
実施態様７に記載の供給方法において、前記対象の身体が組織を含む、供給方法。
［実施態様１３］
実施態様７に記載の供給方法において、前記物質が固形物を含む、供給方法。
【手続補正書】
【提出日】平成26年5月12日(2014.5.12)
【手続補正１】
【補正対象書類名】明細書
【補正対象項目名】００８６
【補正方法】変更
【補正の内容】
【００８６】
本発明について本発明の実施形態例を参照して具体的に示し説明したが、添付の特許請求の範囲に含まれる本発明の範囲から逸脱せずに、形態及び詳細に様々な変更を行い得ることを当業者には理解されよう。
なお、本発明は、実施の態様として以下の内容を含む。
〔態様１〕
生体試料データを配信する、コンピュータに基づく方法であって、
被験者生体試料のデジタル画像を取得するステップと、
少なくとも１人のユーザに応じて前記取得されたデジタル画像及び画像捕捉データを処理するステップであって、この処理により、前記被験者生体試料の生体試料データを表す、処理済み画像データ、及び捕捉メタデータを生成する、処理ステップと、
パッケージ処理を通して、前記処理済み画像データ及び捕捉メタデータを組み合わせてパッケージにするステップと、
前記１人のユーザに加えて、複数のセクタにわたる複数のユーザに、前記パッケージに対する同時電子的アクセスを可能にする電子的アクセスステップとを備えた、方法。
〔態様２〕
前記処理済み画像データへの電子的アクセスは、前記パッケージが利用可能なことを前記ユーザに通知するステップと、前記処理済み画像データへのアクセスを提供するステップとを含み、この後に完了通知が続く、態様１に記載の方法。
〔態様３〕
前記処理ステップは、患者データ処理及びユーザ処理を含み、前記患者データ処理及び前記ユーザ処理のそれぞれは、
外部データ記憶装置からのデータを抽出して取り込み、前記ユーザが要求した患者データであるユーザ要求データを生成する、患者データ処理と、
画像メタデータ、及び外部データ記憶装置からの他のデータを抽出して取り込み、さらに他のデータを処理して前記ユーザが要求したメタデータであるユーザ要求メタデータにする、ユーザ処理と、
前記パッケージ内に、前記ユーザ要求患者データ及び前記ユーザ要求メタデータをさらに含める、パッケージ処理とを備えた、態様１に記載の方法。
〔態様４〕
前記１人のユーザは病理学者であり、前記電子的にアクセスを可能にするステップは、前記ユーザが診断処理ステップを実行できることを可能にし、前記ユーザは、前記生体試料データに関するデータを記録し、前記記録されるデータは、書面又は音声での診断、サブサンプリング画像データ、注釈、及びコメントを含む、態様１に記載の方法。
〔態様５〕
前記診断処理ステップは部分的又は全体的に、自動化システム又は病理学者以外のユーザにより実行される、態様４に記載の方法。
〔態様６〕
前記処理ステップは、伝送モデリング方法、記憶モデリング方法、及び分類モデリング方法のうちのいずれか１つ又は任意の組み合わせを含むモデリングプロセスを含み、
前記伝送モデリングは、チャネル符号化及びバージョン制御条件付き伝送の組み合わせを含み、
前記記憶モデリングは少なくとも情報源符号化を含み、
前記分類モデリングは、予測符号化、圧縮感知、及びプログレッシブ画像ストリーミングの組み合わせを含む、態様１に記載の方法。
〔態様７〕
前記処理ステップは、２人以上のユーザのユーザ仕様の集合を含む集合処理であり、前記電子的アクセスステップは、各ユーザ仕様に従って、各ユーザ要求が独立に処理されているかのように、各ユーザに対して前記パッケージデータを分解する、態様３に記載の方法。
〔態様８〕
前記ユーザ処理、前記患者データ処理、又は前記パッケージ処理のうちの１つ又は複数が、各自の処理ステップへの入力として、完全又は部分的な診断処理ステップを開始する、態様３に記載の方法。
〔態様９〕
生体試料データを配信する、コンピュータに基づく方法であって、
被験者生体試料のデジタル画像を取得する、取得ステップと、
前記取得されたデジタル画像を処理して、前記被験者生体試料の生体試料データを表すプログレッシブ画像ストリームを形成する、処理ステップと、
前記プログレッシブ画像ストリームに対して、前記生体試料の解像度、スケール、及びサブ領域に関してのアクセスの準備を追加的に処理するステップと、
ユーザが、前記被験者生体試料の解像度、スケール、及びサブ領域に関して、プログレッシブ画像を空間的に閲覧するように、前記プログレッシブ画像ストリームを１人又は複数のユーザに送信するステップとを備えた、方法。
〔態様１０〕
前記取得ステップは一連の画像を取得し、前記処理ステップは圧縮感知を利用する、態様９に記載の方法。
〔態様１１〕
ユーザが要求した処理済み画像データのリストを記録するステップをさらに含み、前記リストはセッションサンプリングデータとして記録され、前記セッションサンプリングデータは、前記ユーザが閲覧する画像の部分を監査できるように、呼び戻されることができる、態様１０に記載の方法。
〔態様１２〕
前記セッションサンプリングデータは、前記ユーザがアクセスする画像部分の概要を提供する順序なしデータとして呼び戻されてアクセスされることが可能である、態様１１に記載の方法。
〔態様１３〕
前記セッションサンプリングデータは、前記ユーザが前記処理済み画像データにアクセスしレビューした順序で呼び戻されてアクセスされ、セッションの再構築を可能とする、態様１１に記載の方法。
〔態様１４〕
同じ画像の複数のセッションサンプリングデータをサンプリングして、複数のセッションにわたる共通点についての情報を収集する、態様１１に記載の方法。
〔態様１５〕
前記セッションサンプリングデータは、生成中に１人又は複数の他のユーザにより呼び戻され、その結果すべてのユーザが同期閲覧経験を有する、態様１１に記載の方法。
〔態様１６〕
前記同期閲覧経験に関わるユーザが、（ａ）前記処理済み画像データをナビゲートし、プログレッシブ画像ストリーム要求を追加し、（ｂ）閲覧された前記画像に注釈を付けて、前記注釈付けはその他のユーザから閲覧されるように行われる、態様１５に記載の方法。
〔態様１７〕
前記ユーザは前記処理済み画像データにリモートにアクセスし、前記セッションサンプリングデータは、前記要求された処理済み画像データのローカルにキャッシュされたコピーにより増強される、態様１１に記載の方法。
〔態様１８〕
前記処理済み画像データの前記キャッシュされたコピーを、前記画像データ全体を含むようにさらに処理できるようにするステップをさらに備えた、態様１７に記載の方法。
〔態様１９〕
生体試料データを配信するコンピュータシステムであって、
被験者生体試料の１つ又は複数のデジタル画像のソースと、
前記ソースからのデジタル画像を処理するプロセッサであって、前記処理は、前記デジタル画像及び対応する画像捕捉データを少なくとも１人のユーザに応じて処理することを含み、その結果、（ｉ）前記被験者生体試料の生体試料データを表す処理済み画像データ及び（ｉｉ）捕捉メタデータが生成される、プロセッサと、
前記プロセッサ処理に応答してコンピュータにより実行可能であり、前記処理済み画像データ及び前記捕捉メタデータを組み合わせるように構成されるパッケージプロセスであって、前記組み合わせることは、前記１人のユーザに加えて、複数のセクタにわたる複数のユーザが同時に電子的にアクセス可能なパッケージを形成する、パッケージプロセスとを備えた、コンピュータシステム。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
画像を表示するためのシステムであって、
ユーザが画像の関心領域の少なくとも１点を指示することを可能にするためのユーザ入力サブシステムと、
前記画像の連続的に小さくなる部分でビューポートを満たすことによってズームイン操作を実行するためのズームサブシステムとを有し、前記連続的に小さくなる部分は前記関心領域が前記ビューポートの中心から漸減する距離において示されるように選択され、
前記ズームサブシステムは前記距離を減少するステップサイズで減少させ、当該ステップサイズは前記ユーザによって指示される前記関心領域が前記ビューポートの中心に達するときにゼロに達する、システム。
【請求項２】
前記ユーザ入力サブシステムは、前記ビューポートが前記画像の連続的に小さくなる部分の１つ以上で満たされた後、既に指示された関心領域の少なくとも１点に対してさらなるズームが望まれるかどうかを示すことによって、前記ズームイン操作を前記ユーザが制御することを可能にする、請求項１に記載のシステム。
【請求項３】
前記ユーザ入力サブシステムは前記ユーザがズームインの速度を制御することを可能にし、前記ズームサブシステムは前記ズームインの速度に依存して前記距離を減少させる速度を制御する、請求項１に記載のシステム。
【請求項４】
前記ユーザ入力サブシステムは、前記画像の関心領域の少なくとも１点を指示するプロセスにおいて前記ユーザから指示点を取得し、前記連続的に小さくなる部分は、前記ビューポートを満たすとき、前記ビューポートの中心から減少する距離において前記指示点を持つ、請求項１に記載のシステム。
【請求項５】
前記ズームサブシステムが、前記ユーザによって指示される点が前記ビューポートの中心に達するときにゼロに達するように前記ステップサイズを設定する、請求項４に記載のシステム。
【請求項６】
前記画像の少なくとも１点及び内容に基づいて前記関心領域を検出するための領域検出器をさらに有する、請求項１に記載のシステム。
【請求項７】
前記ズームサブシステムは画像点を前記ビューポートの固定点に固定したままにし、前記固定点は前記ビューポートの中心と前記画像の関心領域と交差する線上に位置し、前記関心領域は前記ビューポートの中心と前記固定点の間にある、請求項１に記載のシステム。
【請求項８】
前記線が前記ユーザによって指示される点と交差する、請求項７に記載のシステム。
【請求項９】
前記固定点が前記線及び前記ビューポートの外側境界の交点上に位置する、請求項７に記載のシステム。
【請求項１０】
前記ズームサブシステムは前記関心領域が前記ビューポートの中心にあるときに前記固定点を前記ビューポートの中心へ移動させる、請求項７に記載のシステム。
【請求項１１】
前記ズームサブシステムは前記ユーザによって指示される点が前記ビューポートの中心にあるときに前記固定点を前記ビューポートの中心へ移動させる、請求項１０に記載のシステム。
【請求項１２】
前記減少するステップサイズは前記画像の滑らかに減速するパンをもたらす、請求項１に記載のシステム。
【請求項１３】
請求項１に記載のシステムを有するワークステーション。
【請求項１４】
画像を表示する方法であって、
ユーザが画像の関心領域の少なくとも１点を指示することを可能にするステップと、
前記画像の連続的に小さくなる部分でビューポートを満たすことによってズームイン操作を実行するステップとを有し、前記連続的に小さくなる部分は前記関心領域が前記ビューポートの中心から減少する距離において示されるように選択され、
前記ズームイン操作を実行するステップが前記距離を減少するステップサイズで減少させるステップを有し、当該ステップサイズは前記ユーザによって指示される前記関心領域が前記ビューポートの中心に達するときにゼロに達する、
方法。
【請求項１５】
プロセッサシステムに請求項１４に記載の方法を実行させるための命令を有するコンピュータプログラム。
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
アンチエイリアシングされた画像から画素をレンダリングする方法であって、
前記画素のアンチエイリアシングされたサンプルを、第１のセット及び第２のセットのサンプルが異なるように前記第１のセット及び前記第２のセットに分割することと、
前記画素のアンチエイリアシングされたサンプルの前記第１のセット及び前記第２のセットをそれぞれ第１のメモリ及び第２のメモリ内に記憶することと、
前記第１のセットからの、又は、前記第１及び前記第２のセットからの決定された数の前記サンプルをレンダリングすることと、を備える方法。
【請求項２】
前記第１のセットにおけるサンプルの数は予め決定されている請求項１の方法。
【請求項３】
前記第１のセットにおけるサンプルの数は前記画像の特性に基づいて決定される請求項１の方法。
【請求項４】
前記第１のセットにおけるサンプルの数はサンプルのサイズ及び前記第１のメモリのサイズに基づいて決定される請求項１の方法。
【請求項５】
レンダリングされるべきサンプルの数は前記画素に接触しているオブジェクトに基づいて決定される請求項１の方法。
【請求項６】
前記第１のメモリは前記第２のメモリよりも高速でプロセッサにとってアクセス可能である請求項１の方法。
【請求項７】
前記第１のメモリはグラフィクスプロセッサユニット（ＧＰＵ）に結合されるグラフィクスメモリであり、前記第２のメモリはシステムメモリである請求項１の方法。
【請求項８】
前記アンチエイリアシングされたサンプルは多重サンプリングされる請求項１の方法。
【請求項９】
レンダリングすることは、前記決定された数のサンプルがレンダリングされるまで、予め定められたシーケンスに従い、前記第２のセットからのサンプルが随意的に続く前記第１のセットからのサンプルをレンダリングすることを備える請求項１の方法。
【請求項１０】
前記第１のセットが前記決定された数のサンプルよりも少ないサンプルを有する場合に前記第２のセットからのサンプルがレンダリングされる請求項９の方法。
【請求項１１】
当該１つ以上のサンプルの各々はそれぞれのサーフェス内に記憶される請求項１の方法。
【請求項１２】
レンダリングされるべき前記サンプルの数を決定することを更に備える請求項１の方法。
【請求項１３】
アンチエイリアシングされた画像から画素をレンダリングするためのシステムであって、
プロセッサと、
前記プロセッサに結合される第１のメモリ及び第２のメモリと、
前記画素のアンチエイリアシングされたサンプルを、第１のセット及び第２のセットのサンプルが異なるように前記第１のセット及び前記第２のセットに分割し、前記第１のセット及び前記第２のセットをそれぞれ前記第１のメモリ及び前記第２のメモリ内に記憶するように構成される分割アンチエイリアシングサンプルライタと、を備えるシステム。
【請求項１４】
前記第１のセットからの、又は、前記第１及び前記第２のセットからの決定された数の前記サンプルをレンダリングするように構成される分割アンチエイリアシングサンプルリーダを更に備える請求項１３のシステム。
【請求項１５】
前記分割アンチエイリアシングサンプルリーダは、レンダリングされるべき前記サンプルの数を決定するように更に構成される請求項１４のシステム。
【請求項１６】
前記分割アンチエイリアシングサンプルリーダは、前記決定された数まで、予め定められたシーケンスに従い、前記第２のセットからのサンプルが随意的に続く前記第１のセットからのサンプルをレンダリングするように更に構成される請求項１４のシステム。
【請求項１７】
前記第１のセットが前記決定された数のサンプルよりも少ないサンプルを有する場合に前記第２のセットからのサンプルがレンダリングされる請求項１３のシステム。
【請求項１８】
前記第１のメモリはグラフィクスプロセッサユニット（ＧＰＵ）に結合されるグラフィクスメモリであり、前記第２のメモリはシステムメモリである請求項１３のシステム。
【請求項１９】
前記第１のメモリは前記第２のメモリよりも高速なアクセス速度に対して構成される請求項１３のシステム。
【請求項２０】
命令を記憶するコンピュータ可読記憶媒体であって、前記命令は、実行されると、少なくとも１つのプロセッサを動作させて、アンチエイリアシングされた画像から画素をレンダリングするように適合させられており、前記動作は、
前記画素のアンチエイリアシングされたサンプルを、第１のセット及び第２のセットのサンプルが異なるように前記第１のセット及び前記第２のセットに分割することと、
前記画素の複数のアンチエイリアシングされたサンプルからの前記第１のセット及び前記第２のセットをそれぞれ第１のメモリ及び第２のメモリ内に記憶することと、
前記第１のセットからの、又は、前記第１及び前記第２のセットからの決定された数の前記サンプルをレンダリングすることと、を備えるコンピュータ可読記憶媒体。
【請求項２１】
前記動作は、前記決定された数のサンプルがレンダリングされるまで、予め定められたシーケンスに従い、前記第２のセットからのサンプルが随意的に続く前記第１のセットからの１つ以上のサンプルをレンダリングすることを更に備える請求項２０のコンピュータ可読記憶媒体。
【請求項２２】
前記第１のセットが前記決定された数のサンプルよりも少ないサンプルを有する場合に前記第２のセットからのサンプルがレンダリングされる請求項２０のコンピュータ可読記憶媒体。
【請求項２３】
前記第１のメモリはグラフィクスプロセッサユニット（ＧＰＵ）に結合されるグラフィクスメモリであり、前記第２のメモリはシステムメモリである請求項２２のコンピュータ可読記憶媒体。
【請求項２４】
前記第１のセットのサンプルと前記第２のセットのサンプルとは互いに排他的である、請求項１の方法。
【請求項２５】
前記第１のセットのサンプルと前記第２のセットのサンプルとは互いに排他的である、請求項１３のシステム。
【請求項２６】
前記第１のセットのサンプルと前記第２のセットのサンプルとは互いに排他的である、請求項２０のコンピュータ可読記憶媒体。
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
免疫検定検査ストリップを製造する方法において、患者サンプルの免疫検定検査ストリップの結果が、反射率読取装置を用いて、完成した当該免疫検定検査ストリップの色または他の性質の変化により検出可能であり、当該方法が：
多孔性または吸水性部材を基板に当てるステップにおいて、当該多孔性または吸水性部材が、液体サンプルを移動させることができ、その上で免疫反応を起こせる固体担体として機能するステップと；
接触パッドを、前記多孔性または吸水性部材の第一端に隣接した前記基板に接着するステップであって、当該接触パッドの端を前記多孔性または吸水性部材と流体接続するように重ねるステップと；
コンジュゲートパッドを、前記接触パッドに隣接した前記基板に接着するステップであって、当該コンジュゲートパッドの端を前記接触パッドと流体接続するように重ねるステップと；
コンジュゲート試薬を、前記コンジュゲートパッドにストリップ工程を通じて加えるステップであって、前記コンジュゲートパッドがその後実質的に均一なものとして加えられるコンジュゲート試薬を含むようなステップと；
サンプルパッドを、前記コンジュゲートパッドに隣接した前記基板に取り付けるステップであって、当該サンプルパッドの端を前記コンジュゲートパッドと流体接続するように重ね、当該サンプルパッドが液体患者サンプルを受けるのに適した材料を具えるステップと；
吸収パッドを、前記多孔性または吸水性部材の前記第一端とは反対の第二端に隣接した前記基板に取り付けるステップであって、当該吸収パッドの端を前記多孔性または吸水性部材と流体接続するように重ね、当該吸収パッドが、前記サンプルパッドに導入された前記サンプル液体を前記コンジュゲートパッド、接触パッドおよび多孔性または吸水性部材のそれぞれを通じて吸い取るように機能し、
前記ストリップ工程において、過剰な液体コンジュゲート試薬が前記コンジュゲートパッドから前記多孔性または吸水性部材へ吸上するのを前記接触パッドにより防ぎ、その一方でなお、患者サンプル液体およびコンジュゲート試薬の組み合わせが、以降の免疫検定検査の過程において、前記コンジュゲートパッドから前記接触パッドを通じて前記多孔性または吸水性部材へと流れるステップと；
を具えることを特徴とする方法。
【請求項２】
請求項１に記載の方法において、前記コンジュゲートパッドが前処理した親水性材料を具えることを特徴とする方法。
【請求項３】
請求項１に記載の方法において、前記ストリップ工程中に加えた前記コンジュゲート試薬を、前記サンプルパッドを取り付ける前に乾燥させることを特徴とする方法。
【請求項４】
請求項１に記載の方法において、前記多孔性または吸水性部材がニトロセルロースを具えることを特徴とする方法。
【請求項５】
請求項１に記載の方法が、サンプル流体中の関心のある検体の不動化結合パートナーを、前記多孔性または吸水性部材に加えるステップをさらに具えることを特徴とする方法。
【請求項６】
請求項５に記載の方法において、前記不動化結合パートナーが、前記関心のある検体と結合する捕捉抗体を具えることを特徴とする方法。
【請求項７】
請求項１に記載の方法において、前記コンジュゲートパッドが、前記コンジュゲートパッドおよび前記多孔性または吸水性部材の間で前記接触パッドが垂直になるように、前記基板に接着していることを特徴とする方法。
【請求項８】
請求項１に記載の方法において、前記サンプルパッドが、前記サンプルパッドおよび前記接触パッドとの間で前記コンジュゲートパッドが垂直になるように、前記基板に取り付けていることを特徴とする方法。
【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
サンプル溶液の粘度を測定する方法であり、前記方法は：
キャリア溶液でキャピラリーを満たし、前記キャピラリーが第１及び第２の空間的に離れた検出窓を持ち；
前記キャピラリーの第１の端部内にサンプル溶液のプラグを注入し、かつ前記サンプル溶液のプラグを第１のポンプ圧でポンプすることにより、前記サンプル溶液のプラグは、前記キャリア溶液により先行されかつ後続されるか、
又は、サンプル溶液を前記キャピラリーを通して第１の圧で連続的にポンプすることにより、前記サンプル溶液のフローフロントが前記キャリア溶液で先行され、
それにより前記プラグ又はフローフロントが前記第１及び第２の検出窓を通過し；
それぞれの検出窓の少なくとも一部分を光源により照射し；
それぞれの検出器窓で前記キャリア溶液又は前記サンプル溶液を通過する前記光源からの光をアレイ検出器を用いて検出し；
それぞれの検出窓を通過する前記サンプル溶液プラグ又はフローフロントの光吸収のプロフィルを示すアレイ検出器出力シグナルを生成し；
それぞれの検出器窓で前記サンプル溶液のプラグ又はフローフロントの検出の時間を決定し；
それぞれの検出窓で前記サンプル溶液のプラグ又はフローフロントの検出の時間の間の時間差Δｔを決定し；及び
前記サンプル溶液の比粘度ηｓｐを、前記サンプル溶液のプラグについて前記時間差Δｔ、前記キャピラリーの前記第１及び第２の端部間の長さＬ、前記キャピラリーの第１の端部へ注入された前記プラグの長さｌｉｎｊ、及び前記第１のポンプ圧でポンプされる場合前記キャリア溶液の粘度とほぼ等しい粘度を持つ標準サンプル溶液のプラグについてそれぞれの検出窓で検出される時間の知られる時間差Δｔ０から、
ηｓｐ＝［（Δｔ−Δｔ０）／Δｔ０］ｘ（Ｌ／ｌｉｎｊ）；
と計算されるか；又は
前記サンプル溶液の比粘度ηｓｐを、前記サンプル溶液のフローフロントについて前記時間差Δｔ、前記第１の端部及び前記第１の検出器窓間のキャピラリーの長さｌ１、前記第１の端部及び前記第２の検出器窓間のキャピラリーの長さｌ２、前記第１の端部及び前記第２の端部間のキャピラリーの長さＬ、及び前記第１のポンプ圧でポンプされる場合前記キャリア溶液の粘度とほぼ等しい粘度を持つ標準サンプル溶液のフローフロントについてそれぞれの検出窓で検出される時間の知られる時間差Δｔ０から、
ηｓｐ＝［（Δｔ−Δｔ０）／Δｔ０］ｘ［２Ｌ／（ｌ１＋ｌ２）］；
と計算される、
ことを含む、方法。
【請求項２】
前記アレイ検出器が検出器位置の２次元配列を含む、請求項１に記載の方法。
【請求項３】
請求項１又は２に記載のサンプル溶液の粘度を測定する方法であり、前記方法はさらに、前記サンプル溶液を形成するために緩衝液中に分析物を溶解させることを含む、方法。
【請求項４】
サンプル溶液の粘度の、前記サンプル溶液の濃度依存性を特徴付ける方法であり、前記方法は：
前記緩衝液中に第１の濃度で溶解させた前記分析物を、請求項３に記載の方法で、サンプル溶液の比粘度を測定し；及び
前記緩衝液中に前記第１の濃度とは異なる１以上の濃度で溶解させた前記分析物を、請求項３に記載の方法で、サンプル溶液の比粘度を測定することを含む、方法。
【請求項５】
サンプル溶液の粘度を測定する装置であり、前記装置は、
第１の端部と第２の端部、及び第１及び第２の空間的に離れた検出窓を持つキャピラリー；
前記キャピラリーの第１の端部へ第１のポンプ圧で溶液を選択的に供給するようの構成される注入器；
それぞれの検出窓の少なくとも一部分を照射するように構成される光源；
前記光源から前記キャピラリー内の溶液を通過する光を検出するように構成される、及び前記キャピラリー内の溶液を通過する光の光吸収のプロフィルを示すアレイ検出器出力シグナルを生成するように構成されるアレイ検出器、
前記アレイ検出器からの前記出力シグナルを受けるように構成されるプロセッサを含み；
前記注入装置がキャピラリーをキャリア溶液で満たすように、且つ前記キャピラリーの第１の端部内にサンプル溶液のプラグを注入するよう構成されることにより、前記サンプル溶液のプラグが前記キャリア溶液で先行されかつ後続されるか、又は前記注入装置がキャピラリーをキャリア溶液で満たすように、且つ前記キャピラリーを通じてサンプル溶液を連続的にポンプするように構成されることにより、前記サンプル溶液のフローフロントが前記キャリア溶液に先行され、それにより前記プラグ又はフローフロントが前記第１及び第２の検出窓を通過し；
前記プロセッサは、前記アレイ検出器出力シグナルからそれぞれの検出器窓で前記サンプル溶液の前記プラグ又はフローフロントの検出の時間を決定するように、及びそれぞれの検出窓で前記サンプル溶液プラグ又はフローフロントの前記検出時間の時間差Δｔを決定するように構成され；及び
前記プロセッサが、
前記サンプル溶液の比粘度ηｓｐを、前記サンプル溶液のプラグについて前記時間差Δｔ、前記キャピラリーの前記第１及び第２の端部間の長さＬ、前記キャピラリーの第１の端部へ注入された前記プラグの長さｌｉｎｊ、及び前記第１のポンプ圧でポンプされる場合前記キャリア溶液の粘度とほぼ等しい粘度を持つ標準サンプル溶液のプラグについてそれぞれの検出窓で検出される時間の知られる時間差Δｔ０から、
ηｓｐ＝［（Δｔ−Δｔ０）／Δｔ０］ｘ（Ｌ／ｌｉｎｊ）；
と計算するように構成されるか；又は
前記プロセッサが、
前記サンプル溶液の比粘度ηｓｐを、前記サンプル溶液のフローフロントについて前記時間差Δｔ、前記第１の端部及び前記第１の検出器窓間のキャピラリーの長さｌ１、前記第１の端部及び前記第２の検出器窓間のキャピラリーの長さｌ２、前記第１の端部及び前記第２の端部間のキャピラリーの長さＬ、及び前記第１のポンプ圧でポンプされる場合前記キャリア溶液の粘度とほぼ等しい粘度を持つ標準サンプル溶液のフローフロントについてそれぞれの検出窓で検出される時間の知られる時間差Δｔ０から、
ηｓｐ＝［（Δｔ−Δｔ０）／Δｔ０］ｘ［２Ｌ／（ｌ１＋ｌ２）］；
と計算するように構成される、装置。
【請求項６】
前記アレイ検出器が検出器位置の２次元配列を含む、請求項５に記載の装置。
【請求項７】
請求項６に記載の装置であり、前記検出器位置の２次元配列が、それぞれの検出窓を横切る前記キャリア溶液及びサンプル溶液の光吸収の前記２次元分布を示すシグナルを与えるように構成される、装置。
【請求項８】
請求項５乃至７のいずれか一項に記載の装置であり、前記光源が、前記サンプル溶液中に含まれる１以上の吸収成分により吸収される光波長を少なくとも１つ発光する、装置。
【請求項９】
請求項８に記載の装置であり、前記光源は、紫外線（ＵＶ）光を供給するように構成され、前記アレイ検出器がＵＶ吸収を示すシグナルを与えるように構成される、装置。
【請求項１０】
請求項９に記載の装置であり、前記光源は、１６０から１２００ｎｍ、好ましくは１８０又は１９０から１２００ｎｍの範囲の波長を持つ光を与えるように構成される、装置。
【請求項１１】
請求項５乃至１０のいずれか一項に記載の装置であり、前記アレイ検出器が、半導体センサ装置、好ましくはＣＭＯＳ  ＡＰＳ、ＣＣＤ又はＣＩＤを含む、装置。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
関心対象送信機のジオロケーションを行うシステムであって、
参照センサー局および１つ以上のブラインドセンサー局を含む地理的に分散したセンサー局のネットワークを備え、前記１つ以上のブラインドセンサー局は、定位されるべき無線送信機が送信する信号の特性を測定するよう構成されるとともに、自身の位置に関する知識を持ち合わせておらずかつ時間同期されておらず、少なくとも３つのセンサー局は既知の位置に存在して参照クロックと同期しており、前記少なくとも３つのセンサー局は参照センサー局として有用であり、前記システムはさらに、
前記センサー局を制御するよう構成された中央ノードを備え、
前記１つ以上のブラインドセンサー局は、バックホール通信ネットワークを介する前記中央ノードとの通信のために構成されており、
前記バックホール通信ネットワークは、前記センサー局および中央ノードの間の無線通信を許容するよう構成されており、
前記システムは、前記少なくとも３つの参照センサー局が少なくとも１つのブラインドセンサー局に無線通信波形を送信し、前記少なくとも１つのブラインドセンサー局が、前記無線通信波形の受信に基づき、同期およびジオロケーションがなされるよう構成されている、システム。
【請求項２】
前記ブラインドセンサー局は、前記少なくとも３つのセンサー局による無線通信波形放送の到達時間（ＴＯＡ）を受信および判定するよう構成されており、前記システムは前記ブラインドセンサー局と関連付けられたプロセッサをさらに備え、前記プロセッサは、前記ブラインドセンサー局のジオロケーションおよび時間同期のための参照センサー局ジオロケーション情報およびＴＯＡ情報を使用するよう構成されている、請求項１に記載のシステム。
【請求項３】
前記ブラインドセンサー局と関連付けられたプロセッサは、参照センサー局ジオロケーション情報のデータベースに対してアクセスを行い、前記参照センサー局ジオロケーション情報は、前記少なくとも３つのセンサー局による無線通信波形放送において符号化される、請求項２に記載のシステム。
【請求項４】
前記少なくとも３つの参照センサー局は、送信時間が符号化された無線通信波形の放送を行うよう構成される、請求項１に記載のシステム。
【請求項５】
前記システムはさらに、遮断されたセンサー局が前記バックホール通信ネットワークおよび少なくとも１つの他のセンサー局を介して前記中央ノードと通信を行うことを許容するよう構成される、請求項１に記載のシステム。
【請求項６】
前記複数のセンサー局は、携帯用および固定のセンサー局を含む、請求項１に記載のシステム。
【請求項７】
前記中央ノードは、表示装置と外部インターフェースとを備える、請求項１に記載のシステム。
【請求項８】
前記システムはさらに、ジオロケーションのなされたセンサー局による出力測定値を使
用して、関心対象送信機のジオロケーションを行うよう構成される、請求項１に記載のシステム。
【請求項９】
前記システムはさらに、ジオロケーションおよび同期のなされたセンサー局による時間ベース測定値を使用して、関心対象送信機のジオロケーションを行うよう構成される、請求項１に記載のシステム。
【請求項１０】
前記システムはさらに、地上波放送信号の受信により、ブラインドセンサー局のジオロケーションを行うよう構成される、請求項１に記載のシステム。
【請求項１１】
前記システムはさらに、いずれかのセンサー局が定位のトリガを掛けて中央ノードとして振舞うことを許容するよう構成される、請求項１に記載のシステム。
【請求項１２】
参照センサー局および１つ以上のブラインドセンサー局を含む地理的に分散したセンサー局のネットワークを使用して、関心対象送信機のジオロケーションを行う方法であって、前記１つ以上のブラインドセンサー局は定位されるべき無線送信機が送信する信号の特性を測定するよう構成されており、前記１つ以上のブラインドセンサー局は、バックホール通信ネットワークを介する中央ノードとの通信のために構成されており、前記１つ以上のブラインドセンサー局は自身の位置に関する知識を持ち合わせておらずかつ時間同期されておらず、前記方法は、
参照センサー局として有用な少なくとも３つのセンサー局の位置判定を行い、前記少なくとも３つのセンサー局を参照クロックと同期させるステップと、
バックホール無線通信ネットワークを介した無線通信を採用することにより、少なくとも１つのブラインドセンサー局の同期およびジオロケーションを行うステップとを備え、前記無線通信は、前記少なくとも１つのブラインドセンサー局により受信されて同期およびジオロケーションに使用される無線通信波形の前記参照センサー局による放送を含み、前記方法はさらに、
前記少なくとも１つのブラインドセンサー局を含む、地理的に分散したセンサー局のネットワークを使用して、少なくとも１つの関心対象送信機のジオロケーションを行うステップとを備える、方法。
【請求項１３】
前記少なくとも１つのブラインドセンサー局は、前記少なくとも３つのセンサー局による無線通信波形放送の到達時間（ＴＯＡ）を受信および判定しており、前記方法は前記少なくとも１つのブラインドセンサー局と関連付けられた定位プロセッサを採用して、ジオロケーションおよび時間同期のための参照センサー局ジオロケーション情報およびＴＯＡ情報を使用するステップをさらに備える、請求項１２に記載の方法。
【請求項１４】
前記少なくとも３つの参照センサー局は、送信時間が符号化された無線通信波形の放送を行う、請求項１２に記載の方法。
【請求項１５】
欠陥性センサー局が、前記バックホール通信ネットワークおよび少なくとも１つの他のセンサー局を介して前記中央ノードと通信および同期を行う、請求項１２に記載の方法。
【請求項１６】
前記複数のセンサー局は、携帯用および固定のセンサー局を含む、請求項１２に記載の方法。
【請求項１７】
ジオロケーションおよび同期のなされたセンサー局による出力測定値を使用して、関心対象送信機のジオロケーションを行う、請求項１２に記載の方法。
【請求項１８】
ジオロケーションおよび同期のなされたセンサー局による時間ベース測定値を使用して、関心対象送信機のジオロケーションを行う、請求項１２に記載の方法。
【請求項１９】
高解像度テレビ（ＨＤＴＶ）信号を使用して、ブラインドセンサー局のジオロケーションを行う、請求項１２に記載の方法。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
絶縁基板と、
前記絶縁基板の上に形成され、第１キャビティ及び第２キャビティを有する絶縁層と、
前記第１キャビティ及び前記第２キャビティの間の前記絶縁層内に埋め込まれる光導波路と、
前記第１キャビティ内に実装され、少なくとも一面が前記光導波路の一面と直接接触して、前記接触した光導波路の一面を通じて光信号を出力する発光素子と、
前記第２キャビティ内に実装され、少なくとも一面が前記光導波路の他面と直接接触して、前記接触した光導波路の他面を通じて伝えられる光信号を受信する受光素子と、
を含むことを特徴とする光印刷回路基板。
【請求項２】
前記光導波路の一面は前記第１キャビティを通じて露出され、
前記光導波路の他面は前記第２キャビティを通じて露出され、
前記発光素子及び受光素子は、
前記第１キャビティ及び前記第２キャビティを通じて各々露出される光導波路の一面及び他面と直接接触しながら形成されることを特徴とする請求項１に記載の光印刷回路基板。
【請求項３】
前記絶縁層は、
前記絶縁基板の上に前記発光素子及び受光素子を露出させ、前記発光素子及び受光素子と前記光導波路を整列させるための第１絶縁層と、
前記第１絶縁層の上に形成される第２絶縁層と、
を含むことを特徴とする請求項１または２に記載の光印刷回路基板。
【請求項４】
前記光導波路は、前記第２絶縁層内に埋め込まれることを特徴とする請求項３に記載の光印刷回路基板。
【請求項５】
前記光導波路は、前記絶縁層内で前記発光素子と受光素子とを連結する仮想直線上に形成されることを特徴とする請求項１乃至４のいずれか１項に記載の光印刷回路基板。
【請求項６】
前記第１キャビティ及び前記第２キャビティ内に実装される集積回路をさらに含むことを特徴とする請求項１乃至５のいずれか１項に記載の光印刷回路基板。
【請求項７】
絶縁基板を準備するステップと、
前記絶縁基板の上に一定間隔をおいて発光素子及び受光素子を実装するステップと、
前記絶縁基板の上に前記発光素子及び受光素子を露出させる第１絶縁層を形成するステップと、
前記発光素子及び受光素子の間に形成された第１絶縁層の上に光導波路を形成するステップと、を含み、
前記光導波路を形成するステップは、
一面が前記発光素子の少なくとも一面と直接接触し、他面が前記受光素子の少なくとも一面と直接接触して、前記接触した発光素子の少なくとも一面を通じて伝えられる光信号を前記接触した受光素子の少なくとも一面に伝達する光導波路を形成するステップを含むことを特徴とする光印刷回路基板の製造方法。
【請求項８】
前記光導波路を形成するステップは、
前記発光素子と受光素子とを連結する仮想直線上に前記光導波路を形成するステップであることを特徴とする請求項７に記載の光印刷回路基板の製造方法。
【請求項９】
前記光導波路が形成された部分を除外した第１絶縁層の上に第２絶縁層を形成するステップと、
前記第２絶縁層及び光導波路の上に第３絶縁層を形成するステップと、
をさらに含むことを特徴とする請求項７または８に記載の光印刷回路基板の製造方法。
【請求項１０】
前記第２絶縁層は、前記形成された光導波路と同一の厚さを有することを特徴とする請求項９に記載の光印刷回路基板の製造方法。
【請求項１１】
前記第１絶縁層及び光導波路の上に第２絶縁層を形成するステップと、
前記形成された第２絶縁層をデスミア処理するステップと、
をさらに含むことを特徴とする請求項７乃至１０のいずれか１項に記載の光印刷回路基板の製造方法。
【請求項１２】
絶縁基板を準備するステップと、
前記絶縁基板の上に第１絶縁層を形成するステップと、
前記形成された第１絶縁層をエッチングして複数のキャビティを形成するステップと、
前記形成された複数のキャビティに発光素子及び受光素子を各々実装するステップと、
前記複数のキャビティの間に形成された第１絶縁層の上に光導波路を形成するステップと、を含み、
前記光導波路を形成するステップは、
一面が前記発光素子の少なくとも一面と直接接触し、他面が前記受光素子の少なくとも一面と直接接触して、前記接触した発光素子の少なくとも一面を通じて伝えられる光信号を前記接触した受光素子の少なくとも一面に伝達する光導波路を形成するステップを含むことを特徴とする光印刷回路基板の製造方法。
【請求項１３】
前記形成される第１絶縁層の厚さは、前記実装される発光素子及び受光素子の高さにより決まることを特徴とする請求項１２に記載の光印刷回路基板の製造方法。
【請求項１４】
前記第１絶縁層及び光導波路の上に前記形成された光導波路を保護する第２絶縁層を形成するステップをさらに含むことを特徴とする請求項１２または１３に記載の光印刷回路基板の製造方法。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
バス障害を検出するためのコンピュータによって実装される方法であって、
エラー検出コードの複数のシンドロームを受け取るステップであって、前記エラー検出コードは、前記バスを介して送信された複数のフレームに関連付けられており、前記バスは、複数のレーンを含み且つ前記エラー検出コードによって保護され、前記複数のレーンの各々が、値を格納する関連付けられた走行カウンタを有する、前記受け取るステップと、
前記シンドロームの各々ごとに、前記レーンの各々について、
前記レーンが障害レーンであるという仮定の下に、前記シンドロームを復号することであって、前記シンドロームは、シングル・エラーの複数の可能な障害レーンを示し、前記復号することは復号結果を出力することである、前記復号すること、
前記復号結果が有効な復号であるか否かを決定すること、及び、
前記復号結果が有効な復号であるという決定に応答して、前記レーンに投票することであって、前記投票することは、前記レーンに関連付けられた走行カウンタを増分することを含み、前記増分が前シングル・エラーの複数の可能な障害レーンのそれぞれについて繰り返される、前記投票すること
を実行するステップと、
前記投票に応答して、障害レーンを識別するステップであって、前記識別することは、前記障害レーンを選択する為ために、前記走行カウンタ内の値を互いに比較することを含み、前記障害レーンが、前記バス上の少なくとも１つの他のレーンよりも多い投票を有することによって特徴づけられる、前記識別するステップと
を含む、前記方法。
【請求項２】
前記復号することが、
前記レーン用の候補エラー・ベクトルを生成するステップと、
単一ビット・エラーを示す前記候補エラー・ベクトルに応答して、前記シンドロームを復号することによって生成された他のレーン用の投票を取り消すステップと
を含む、請求項１に記載の方法。
【請求項３】
前記障害レーンが、前記バス上の他の任意のレーンと少なくとも同数の投票を有することによって特徴づけられる、請求項１に記載の方法。
【請求項４】
前記比較することが、
より低い走行カウンタ値に対するより高い走行カウンタ値の比率を計算するステップ
を含み、
前記識別するステップが、
前記障害レーンを選択するために前記計算された比率を比率閾値と比較するステップ
をさらに含む、請求項１に記載の方法。
【請求項５】
前記複数のシンドロームのうちの指定された数のシンドロームが受け取られた後に、前記識別することが実行される、請求項１に記載の方法。
【請求項６】
前記復号することが、前記受け取られた複数のシンドロームのサブセットについて実行され、且つ候補エラー・ベクトルを生成することを含み、
前記受け取られた複数のシンドロームのうちの前記サブセット内に存在しないシンドロームが、前記候補エラー・ベクトルをクロス検査するために前記復号することによって使用される、
請求項１に記載の方法。
【請求項７】
前記障害レーンを識別し且つ修正アクションを開始することに応答して、前記投票がリセットされる、請求項１に記載の方法。
【請求項８】
指定された期間の後に、前記投票がリセットされる、請求項１に記載の方法。
【請求項９】
バス障害を検出するためのシステムであって、
前記バスを介して送信された複数のフレーム用の複数のシンドロームを受け取り且つ当該複数のシンドロームをトラップするように構成されたバス・インタフェース装置であって、前記バスは、複数のレーンを含み、各フレームは、各レーンごとに複数のビット転送を含む、前記バス・インタフェース装置と、
前記バス・インタフェース装置と通信するシンドローム処理論理と
を備えており、
前記シンドローム処理論理が、請求項１〜８のいずれか一項に記載の方法の各ステップを実行するように構成されている、
前記システム。
【請求項１０】
前記バス・インタフェース装置が、メモリ・システム内のハブ装置である、請求項９に記載のシステム。
【請求項１１】
前記バス・インタフェース装置が、メモリ・システム内のメモリ・コントローラである、請求項９に記載のシステム。
【請求項１２】
コンピュータに、請求項１〜８のいずれか一項に記載の方法の各ステップを実行させる、コンピュータ・プログラム。
【手続補正書】
【提出日】平成26年6月5日(2014.6.5)
【手続補正１】
【補正対象書類名】明細書
【補正対象項目名】０１５８
【補正方法】変更
【補正の内容】
【０１５８】
グランド・ボンディング・パッド８１２は、ボンド・ワイヤ８５０を用いてベース平面８３２に結合される。
【手続補正２】
【補正対象書類名】図面
【補正対象項目名】図１１
【補正方法】変更
【補正の内容】
【図１１】
2013539051.tif 000001
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
少なくとも１つの検知手段を用いて情報を獲得する情報獲得ステップと、
前記獲得された情報に基づいて電圧信号を生成する電圧信号生成ステップと、
前記生成された電圧信号に基づいて表示領域のカラー及び透過度のうちの少なくとも一方を可変的に調節する表示ステップとを含み、
前記表示領域は、少なくとも一方が透明である２以上の電極及び、該電極間に配置され、かつ溶媒及び前記溶媒内に分散された複数の粒子からなる溶液を含み、
前記溶液は、電場を印加することによって電気分極を誘発することができ、かつ電場を変化させることによって電気分極量を変化させることができるという可変性電気分極特性を有しており、
前記電極間に前記電圧信号に対応する電場を印加し、前記電場の強度及び方向のうちの少なくとも一方を調節して前記粒子間の間隔又は前記粒子の位置を制御することによって、前記対象の表示領域のカラー及び透過度のうちの少なくとも一方を可変的に調節するようにしたことを特徴とする方法。
【請求項２】
前記粒子間の間隔を制御して前記粒子から反射される光の波長を変化させ、それにより前記対象の表示領域のカラーを可変的に調節するようにしたことを特徴とする請求項１に記載の方法。
【請求項３】
前記情報獲得ステップは、サンプル領域上に漸進的に変化するサンプルカラーを表示し、前記サンプル領域上に表示されるサンプルカラーのうち、ユーザによって少なくとも１つのカラーが選択されることによりなされることを特徴とする請求項１に記載の方法。
【請求項４】
前記溶媒は可視光線透過性物質で構成され、前記粒子から反射される光の波長が赤外線又は紫外線帯域に該当するようになれば、前記表示領域は可視光領域で透明になることを特徴とする請求項１に記載の方法。
【請求項５】
前記粒子は同一の符号の電荷を有し、
前記電場が印加されることによって、電場の強度に比例して粒子に作用する電気泳動力と、前記可変電気分極特性により粒子間に作用する静電気的引力と、同一の符号の電荷を有する粒子間に作用する静電気的反発力が相互作用して前記粒子間の間隔が特定の範囲に到達するようになり、前記粒子間の間隔が特定の範囲に到達するようになることによって、前記複数の粒子から特定波長の光が反射されることを特徴とする請求項１に記載の方法。
【請求項６】
前記複数の粒子は、互いに立体障害効果を示し、
前記電場が印加されることによって、前記可変電気分極特性により粒子間に作用する静電気的引力と、前記粒子間に作用する立体障害反発力が相互作用して前記粒子間の間隔が特定の範囲に到達するようになり、前記粒子間の間隔が前記特定の範囲に到達するようになることによって、前記複数の粒子から特定波長の光が反射されることを特徴とする請求項１に記載の方法。
【請求項７】
前記溶液は、光透過性物質でカプセル化されるか、絶縁性媒体で区画化されることを特徴とする請求項１に記載の方法。
【請求項８】
前記溶液は、電場を印加して所定のカラーを前記表示領域に表示した後、前記電場を除去しても、所定時間前記所定のカラーを維持することを特徴とする請求項１に記載の方法。
【請求項９】
前記電場を印加すれば、前記粒子は、溶媒内で３次元的に短範囲規則度を有しながら、配列することを特徴とする請求項１に記載の方法。
【請求項１０】
前記電場を前記電極の特定部分にのみ印加して前記粒子を前記電極の特定部位に移動させることで、前記表示領域のカラー又は透過度が調節されることを特徴とする請求項１に記載の方法。
【請求項１１】
少なくとも１つの検知手段を用いて情報を獲得する情報獲得部と、
前記獲得された情報に基づいて電圧信号を生成する電圧信号生成部と、
前記生成された電圧信号に基づいてカラー及び透過度のうちの少なくとも一方が可変的に調節される表示部とを含み、
前記表示部は、少なくとも一方が透明である２以上の電極及び、該電極間に配置され、かつ溶媒及び前記溶媒内に分散された複数の粒子からなる溶液を含み、
前記溶液は、電場を印加することによって電気分極を誘発することができ、かつ電場を変化させることによって電気分極量を変化させることができるという可変性電気分極特性を有しており、
前記電極間に前記電圧信号に対応する電場を印加し、前記電場の強度及び方向のうちの少なくとも一方を調節して前記粒子間の間隔又は前記粒子の位置を制御することによって、前記表示部のカラー及び透過度のうちの少なくとも一方を可変的に調節するように構成したことを特徴とする装置。